(57)【要約】【課題】  低コストで作成することができ、かつ、興味深く読める家族誌を提供すること。また、通信回線を利用して家族誌をソフト上で容易かつ迅速に構築できる家族誌作成方法を提供すること。【解決手段】  家系図に記された人の名前Ｎの近傍に当該人が写っている写真Ｐを付す。クライアント装置１０からは、家系図作成の基となる文字データおよび画像データが送信されるとともに、家族の構成員の経歴作成の基となる文字データおよび画像データ等が送信され、サーバー装置２０では、クライアント装置１０から送信されてきた文字データおよび画像データを編集して家族誌をソフト上で構築する。【選択図】  図１
2005186330.tif 000002
【特許請求の範囲】
【請求項１】
家系図を有し、この家系図に記された人の名前の近傍に当該人が写っている写真を付したことを特徴とする家族誌。
【請求項２】
家族の構成員の経歴を写真付きで記した請求項１記載の家族誌。
【請求項３】
旧住居および／または現住居の写真を付した請求項１又は２記載の家族誌。
【請求項４】
経営又は勤務している会社・店舗の写真を付した請求項１，２又は３記載の家族誌。
【請求項５】
クライアント装置とサーバー装置とが通信回線によって通信可能に接続されており、
クライアント装置からは、家系図作成の基となる文字データおよび画像データが送信されるとともに、家族の構成員の経歴作成の基となる文字データおよび画像データ、旧住居および／または現住居に関する文字データと画像データ、経営又は勤務している会社・店舗に関する文字データと画像データのうちの少なくとも１組が送信され、サーバー装置では、クライアント装置から送信されてきた文字データおよび画像データを編集して家族誌をソフト上で構築する、通信回線を利用した家族誌の作成方法。
【発明の詳細な説明】
【技術分野】
【０００１】
本発明は、家系図や家族の構成員の経歴などが記された家族誌および通信回線を利用した家族誌の作成方法に関する。
【背景技術】
【０００２】
最近、自叙伝の出版が盛んになりつつある。一昔前までは、自叙伝を出す人は、いわゆる社会の成功者（会社の創業者、大学の教授、作家等）が大半であったが、現今では一般の人々の間にも自叙伝を出版したいという人が増えてきている。文筆作業に慣れていない一般の人が自叙伝を作成する場合には、専門の業者（出版社等）に任せるのが普通であるが、費用が嵩む欠点を有する。
【０００３】
そこで、専門業者に任せることなく、自分で簡単に自叙伝を作成できる自分史年表が提案されている（例えば、特許文献１参照）。この自分史年表は、年号記入欄、世の中の出来事記入欄、自分の出来事記入欄を有しており、当該各欄に自分史を作成しようとする人が適宜記入することにより、自分史年表を完成させるものである。
【特許文献１】実開平７−２６１５７号公報
【発明の開示】
【発明が解決しようとする課題】
【０００４】
一般に、自叙伝は作成者（筆者）の自己満足に終わることが多く、贈呈された人が目を通すことはほとんど無く、家族も読まずに箪笥の中などに仕舞いこまれてしまうことが多いといわれている。上記した特許文献１に係る自分史年表は、低コストで仕上がる利点を有するものの、作成者に十分な筆力がないと、読む魅力に欠けたものが出来上がりやすい。
【０００５】
自叙伝を出版することは、筆者個人にとっては十分に意義深いことではあるが、家族の重要性が一段と増しつつある現今では、家族に関する歴史や出来事（家系図、夫婦に関する出来事、子供や孫に関する出来事など）を綴った本（家族誌）を出すことも意義あることと思われる。
【０００６】
本発明は、上記事情に鑑み、低コストで作成することができ、かつ、興味深く読める家族誌を提供することを目的とする。また、通信回線を利用して家族誌をソフト上で容易かつ迅速に構築できる家族誌作成方法を提供することを目的とする。
【課題を解決するための手段】
【０００７】
上記目的を達成するために、本発明は、家系図に記された人の名前の近傍に当該人が写っている写真を付した家族誌である。写真が付されていることより視覚的な情報が得られ一段と親しみが増す。これにより、家族誌を興味深く読める。また、家族の構成員（例えば、祖父母、母親、父親、子供、孫）の経歴を写真付きで記したり、住居の写真や、経営等している会社・店舗の写真を載せることにより、家族に関する事柄を一段と広範囲にかつ視覚的に記録できる。これにより、家族誌を一段と興味深く読める。
【０００８】
また、本発明に係る通信回線を利用した家族誌の作成方法は、クライアント装置とサーバー装置とが通信回線によって通信可能に接続されており、クライアント装置からは、家系図作成の基となる文字データおよび画像データが送信されるとともに、家族の構成員の経歴作成の基となる文字データおよび画像データ、旧住居および／または現住居に関する文字データと画像データ、経営又は勤務している会社・店舗に関する文字データと画像データのうちの少なくとも１組が送信され、サーバー装置では、クライアント装置から送信されてきた文字データおよび画像データを編集して家族誌をソフト上で構築するものである。
【０００９】
これにより、地理的・時間的な制約を受けることなく家族誌をソフト上で容易かつ迅速に構築できる。このソフト上で構築された家族誌を記録手段（例えば光ディスク）に記憶しておくことにより、適宜な表示装置（例えば、コンピュータのディスプレイ）を介して何度でも家族誌を読むことができる。なお、ソフト上で構築された家族誌のデータに基づき印刷・製本することにより本形式で読むことも可能である。
【発明の効果】
【００１０】
本発明によれば、低コストで作成することができ、かつ、家系図などには人物写真が付されているので、視覚的な情報が得られ興味深く読むことができる。
【００１１】
また、本発明に係る通信回線を利用した家族誌の作成方法によれば、地理的・時間的な制約を受けることなく、家族誌をソフト上で容易かつ迅速に構築できる。こうして構築された家族誌は、適宜な表示装置（例えば、コンピュータのディスプレイ）を介して読んだり、印刷等して本形式で読むこともできる。
【発明を実施するための最良の形態】
【００１２】
本発明の最良の実施形態を図面を参照しながら説明する。
【００１３】
本発明に係る家族誌は、図１に示すように、家系図を有し、この家系図に記された人の名前（Ｎ）の近傍に当該人が写っている写真（Ｐ）を付した構成とされている。
【００１４】
この実施形態では、家族誌は、家族の構成員（例えば、本人、配偶者、両親、祖父母、子供、孫）の経歴を写真付きで記した欄、旧住居および／または現住居の写真を付した欄、経営又は勤務している会社・店舗を写真付きで解説した欄、家宝の欄、先祖の足跡・功績・遺産を解説した欄、正紋・家紋を写真付きで解説した欄、菩提寺を写真付きで解説した欄、も有している。
【００１５】
例えば、家族の構成員の経歴の欄の一例として、図２に父親の経歴の欄を示す。具体的には、この欄には、父親の名前、生年月日、学歴、職歴、趣味・生活信条、ボランティア活動状況、遺産等が写真付きで記される。また、旧住居および／または現住居の欄には、図３に示すように家屋の特徴などが写真付きで記されるとともに、図４に示すように、土地の解説等が写真付きで記される。また、経営又は勤務している会社・店舗の欄には、図５に示すように営業目的・社訓・役員構成等が会社・店舗の写真付きで記される。また、家宝の欄には、図６に示すように、家宝の解説が写真付きで記される。また、正紋・家紋の欄には、図８に示すように、家紋等の解説が写真付きで記される。また、菩提寺の欄には、図９に示すように、菩提寺の歴史や解説が写真付きで記される。さらに、先祖の足跡・功績・遺産も、図７に示すように記される。
【００１６】
本発明に係る家族誌は上記した構成であるので、家系図などに人物の写真が付されているので視覚情報が得られ一段と親しみが増す。これにより、家族誌を興味深く読める。また、家族の構成員（例えば、祖父母、母親、父親、子供、孫）の経歴を写真付きで記したり、住居の写真や、経営等している会社・店舗の写真を載せることにより、家族に関する事柄を一段と広範囲にかつ視覚的に記録できる。これにより、家族誌を一段と興味深く読める。
【００１７】
（第２の実施形態）
【００１８】
本発明に係る通信回線を利用した家族誌作成方法は、図１０に示すように、クライアント装置１０とサーバー装置２０とが通信回線（５０）によって通信可能に接続されており、クライアント装置１０からは、家系図作成の基となる文字データおよび画像データが送信されるとともに、家族の構成員の経歴作成の基となる文字データおよび画像データ、旧住居および／または現住居の画像データ、経営又は勤務している会社・店舗の画像データのうちの少なくとも１組が送信され、サーバー装置２０では、クライアント装置１０から送信されてきた文字データおよび画像データを編集して家族誌をソフト上で構築する構成とされている。
【００１９】
ここで、通信回線は、インターネット回線５０とされている。クライアント装置１０は、インターネット５０に接続されたプロバイダ３０とＩＳＤＮ３５などで接続されている。一方、サーバー装置２０は、インターネット５０に接続されたプロバイダ４０とＩＳＤＮ４５などで接続されている。クライアント装置１０とサーバー装置２０とは、ＴＣＰ／ＩＰ等のインターネット用通信プロトコルを用いて相互に通信可能に構成されている。クライアント装置１０およびサーバー装置２０は、必要なプログラムをインストールしたコンピュータから形成されている。
詳しくは、クライアント装置１０は、図１１に示すように、ＣＰＵ等からなる処理手段１１，表示手段１２，各種コマンド等を入力するための入力手段１３および記憶手段（ハードディスク等）１４を有している。
【００２０】
ここで、表示手段１２は、ＣＲＴ，液晶ディスプレイ等から形成されている。入力手段１３は、マウスやキーボード等から形成されている。記憶手段１４は、ハードディスク等のストレージデバイスから形成されており、ワークエリア（作業領域）を備えるとともに、オペレーティングシステム、グラフィカルユーザーインターフェイス、ブラウザ、本発明に係る処理を行うためのアプリケーションプログラム等が記憶されている。なお、画像データは、ディジタルカメラやスキャナなどを介してクライアント装置１０に取り込むこととされている。
【００２１】
上記したクライアント装置１０の各構成要素（処理手段１１等）はバス１５で接続されている。また、上記したＩＳＤＮ回線３５が処理手段１１に接続されている。このクライアント装置１０は、任意の場所に設置可能である。
【００２２】
次に、サーバー装置２０は、クライアント装置１０から受信した各種データを記憶するデータ格納手段２５と、各種データをクライアント装置１０へ送信する処理手段（ＣＰＵ等）２１とを具備している。また、サーバー装置２０は、各種の情報を表示可能な表示手段（ＣＲＴ，液晶ディスプレイ等）２２と、情報等を入力可能な入力手段（マウス，キーボード等）２３と、記憶手段（ハードディスク等）２４とを有している。このサーバー装置２０には、家族誌に関するホームページ（ＨＰ）が開設されている。
【００２３】
詳しくは、データ格納手段２５は、記憶手段２４の一部領域を利用して形成されている。記憶手段２４には、データ格納手段２５の他に、ワークエリアを備えるとともに、オペレーティングシステム、グラフィカルユーザーインターフェイス、ブラウザ、本発明に係る処理を行うためのアプリケーションプログラムが記憶されている。なお、上記したサーバー装置２０の各構成要素は、バス２６で接続されている。また、処理手段２１には、上記したＩＳＤＮ回線４５が接続されている。
【００２４】
次に、この実施形態の作用について説明する。
【００２５】
クライアント装置１０から家族誌作成希望者が、家族誌作成依頼をインターネット回線５０等を介してサーバー装置２０へ送信すると、当該サーバー装置２０は家族誌の作成に必要な各種質問事項をクライアント装置１０側へ送信する。ここで、質問事項としては、（１）正紋・家紋について（図柄、解説）、（２）家系図について（人物写真付き）、（３）家族の構成員（本人、配偶者、両親、祖父母、子供、孫など）の経歴について（人物写真付き）、（４）住居（家屋・土地）について（写真付き）、（５）会社・店舗（写真付き）、（６）菩提寺について（写真付き）、（７）、先祖の足跡・功績・遺産について、（８）家宝について（写真付き）、などがある。
【００２６】
クライアント装置１０から家族誌作成希望者が、上記各質問事項〔（１）〜（８）〕に応じて作成した文字データや画像データをインターネット回線５０等を介してサーバー装置２０へ送信すると、当該サーバー装置２０は所定のプログラムに基づき編集して家族誌をソフト上で構築する。こうして構築された家族誌は、適宜な表示装置（例えば、コンピュータのディスプレイ）を介して読んだり、印刷等して本形式で読むこともできる。
【００２７】
上記した通信回線を利用した家族誌作成方法によれば、地理的・時間的な制約を受けることなく家族誌をソフト上で容易かつ迅速に構築できる。
【００２８】
なお、上記実施形態では、通信回線としてインターネット５０を用いたが、携帯電話回線、光通信回線、衛星通信回線および有線電気通信回線のいずれかを用いてもよい。
【００２９】
また、家族誌の作成を上記した方法以外の方法で行ってもよい。例えば、家族誌の作成を希望する者と作成担当者とが面談して家族誌作成に必要な事項（家族の構成員の名前や写真等）を聴取し、当該事項をもとにして家族誌を作成してもよい。また、家族誌作成を希望する者が、記憶媒体（ＣＤ−ＲＯＭやＭＯディスク等）に家族誌作成に必要な事項を記録し、作成担当者は当該記憶媒体を郵便等によって受け取り、その記憶媒体をもとに編集等して家族誌を作成するようにしてもよい。
【図面の簡単な説明】
【００３０】
【図１】本発明の第１の実施形態を説明するための図である。
【図２】父親の経歴の欄を説明するための図である。
【図３】家屋の欄を説明するための図である。
【図４】土地の欄を説明するための図である。
【図５】会社・店舗の欄を説明するための図である。
【図６】家宝の欄を説明するための図である。
【図７】先祖の欄を説明するための図である。
【図８】正紋・家紋の欄を説明するための図である。
【図９】菩提寺の欄を説明するための図である。
【図１０】本発明の第２の実施形態を説明するための図である。
【図１１】電子的構成を説明するためのブロック図である。
【符号の説明】
【００３１】
１０  クライアント装置
２０  サーバー装置
５０  インターネット（通信回線）
Ｎ  名前
Ｐ  写真
【図１】
2005186330.tif 000003
【図２】
2005186330.tif 000004
【図３】
2005186330.tif 000005
【図４】
2005186330.tif 000006
【図５】
2005186330.tif 000007
【図６】
2005186330.tif 000008
【図７】
2005186330.tif 000009
【図８】
2005186330.tif 000010
【図９】
2005186330.tif 000011
【図１０】
2005186330.tif 000012
【図１１】
2005186330.tif 000013